(57)【特許請求の範囲】
【請求項１】
複数の心電図波形を表す心電図波形データを取得するように構成された取得部と、
前記取得された心電図波形データに基づいて複数の心電図波形を生成するように構成された生成部と、
前記生成された複数の心電図波形を表示画面上に並んで表示させるように構成された表示制御部と、を備え、
前記表示画面上に表示された複数の心電図波形のうち第１心電図波形が操作者によって選択されたとき、前記表示制御部は、前記第１心電図波形を強調表示し、
その後、前記表示画面上に表示された複数の心電図波形のうち第２心電図波形が操作者によって選択されたとき、前記表示制御部は、前記第１心電図波形と前記第２心電図波形を強調表示する、心電図波形表示装置。
【請求項２】
前記表示制御部は、
前記第１心電図波形以外の心電図波形の色を前記第１心電図波形の色とは異なる色に変更することで、前記第１心電図波形を強調表示し、
前記第２心電図波形の色を変更前の色に戻すことで、前記第２心電図波形を強調表示する、請求項１に記載の心電図波形表示装置。
【請求項３】
前記表示制御部は、
前記第１心電図波形以外の心電図波形の色を前記第１心電図波形の色よりも明度が高い色に変更することで、前記第１心電図波形を強調表示する、請求項２に記載の心電図波形表示装置。
【請求項４】
前記表示制御部は、
前記第１心電図波形の色又は線幅を変更することで、前記第１心電図波形を強調表示し、
前記第２心電図波形の色又は線幅を変更することで、前記第２心電図波形を強調表示する、請求項１に記載の心電図波形表示装置。
【請求項５】
前記表示制御部は、各々が前記複数の心電図波形の一つに対応する複数の波形表示ラベルを前記表示画面上に表示させるように構成されており、
前記第１心電図波形に対応する第１波形表示ラベルが操作者によって指定されることで、前記第１心電図波形が選択され、
前記第２心電図波形に対応する第２波形表示ラベルが操作者によって指定されることで、前記第２心電図波形が選択される、請求項１から４のうちいずれか一項に記載の心電図波形表示装置。
【請求項６】
（ａ）複数の心電図波形を表す心電図波形データを取得する工程と、
（ｂ）前記取得された心電図波形データに基づいて複数の心電図波形を生成する工程と、
（ｃ）前記生成された複数の心電図波形を表示画面上に並んで表示させる工程と、
（ｄ）前記表示画面上に表示された複数の心電図波形のうち第１心電図波形が操作者によって選択されたとき、前記第１心電図波形を強調表示する工程と、
（ｅ）工程（ｄ）の後に、前記表示画面上に表示された複数の心電図波形のうち第２心電図波形が操作者によって選択されたとき、前記第１心電図波形と前記第２心電図波形を強調表示する工程と、を含む、心電図波形表示方法。
【請求項７】
前記工程（ｄ）では、
前記第１心電図波形以外の心電図波形の色を前記第１心電図波形の色とは異なる色に変更することで、前記第１心電図波形を強調表示し、
前記工程（ｅ）では、
前記第２心電図波形の色を変更前の色に戻すことで、前記第２心電図波形を強調表示する、請求項６に記載の心電図波形表示方法。
【請求項８】
前記工程（ｄ）では、
前記第１心電図波形以外の心電図波形の色を前記第１心電図波形の色よりも明度が高い色に変更することで、前記第１心電図波形を強調表示する、請求項７に記載の心電図波形表示方法。
【請求項９】
前記工程（ｄ）では、
前記第１心電図波形の色又は線幅を変更することで、前記第１心電図波形を強調表示し、
前記工程（ｅ）では、
前記第２心電図波形の色又は線幅を変更することで、前記第２心電図波形を強調表示する、請求項６に記載の心電図波形表示方法。
【請求項１０】
前記工程（ｃ）では、
各々が前記複数の心電図波形の一つに対応する複数の波形表示ラベルを前記表示画面上に表示させ、
前記工程（ｄ）では、
前記第１心電図波形に対応する第１波形表示ラベルが操作者によって指定されることで、前記第１心電図波形が選択され、
前記工程（ｅ）では、
前記第２心電図波形に対応する第２波形表示ラベルが操作者によって指定されることで、前記第２心電図波形が選択される、請求項６から９のうちいずれか一項に記載の心電図波形表示方法。
【請求項１１】
複数の心電図波形を表す心電図波形データを取得する機能と、
前記取得された心電図波形データに基づいて複数の心電図波形を生成する機能と、
前記生成された複数の心電図波形を表示画面上に並んで表示させる機能と、
前記表示画面上に表示された複数の心電図波形のうち第１心電図波形が操作者によって選択されたとき、前記第１心電図波形を強調表示する機能と、
前記表示画面上に表示された複数の心電図波形のうち第２心電図波形が操作者によって選択されたとき、前記第１心電図波形と前記第２心電図波形を強調表示する機能と、をコンピュータに実現させるためのプログラム。
【請求項１２】
請求項１１に記載のプログラムが記憶されたコンピュータ読取可能な記憶媒体。
【発明の詳細な説明】
【技術分野】
【０００１】
本発明は、生体信号波形表示装置に関する。また、本発明は、生体信号波形表示方法、当該方法を実行するプログラム及び当該プログラムが記憶されたコンピュータ読取可能な記憶媒体に関する。
【背景技術】
【０００２】
近年、生体信号波形の一例である心電図波形を１つの表示画面上に複数並べて表示することで、当該心電図波形を解析する手法が知られている（例えば、特許文献１を参照）。
本手法では、１つの表示画面上に並んで表示される心電図波形の数が増えるに従い、心電図波形に係る情報量が増えるため、医療従事者等の操作者は、当該表示された複数の心電図波形に基づき、適切な診断を行うことが可能となる。一方、１つの表示画面上に並んで表示される心電図波形の数が増えるに従い、隣接した心電図波形間の表示間隔は狭くなるため、隣接した心電図波形の一部（特に、ＱＲＳ波等の急峻な部分）が互いに重なってしまう結果、心電図波形の視認性が低下してしまう。また、基線がドリフトなど動揺する場合も同様の現象が生ずる。
【０００３】
特許文献１では、隣接した心電図波形の一部が重ならないように複数の心電図波形の各々を圧縮した形で１つの表示画面上に並んで表示させる技術が開示されている。特許文献１に開示された技術では、心電図波形の各々の圧縮に伴い、個々の心電図波形の視認性が低下するため、心電図波形を拡大表示させる拡大表示ウィンドウが設けられている。
【先行技術文献】
【特許文献】
【０００４】
【特許文献１】特開平４−１５０８３２号公報
【発明の概要】
【発明が解決しようとする課題】
【０００５】
しかしながら、特許文献１に開示された技術では、各心電図波形が圧縮されているので、１つの画面上に同時に並んで表示された複数の心電図波形の全体を視認しながら選択対象となる心電図波形を適切に分析することは困難である。かかる場合には、拡大表示ウィンドウを用いて選択対象となる心電図波形の一部を拡大表示する必要がある。しかし、拡大表示ウィンドウを表示画面上に表示した場合、表示画面上に表示された生体信号波形の一部が当該拡大表示ウィンドウによって隠れてしまい、操作者により視認できなくなってしまう。
【０００６】
本発明は、表示画面上に並んで表示された複数の生体信号波形の数を減らさずに、操作者によって選択された当該生体信号波形の視認性を向上させることが可能な生体信号波形表示装置及び生体信号波形表示方法を提供することを目的とする。
また、当該生体信号波形表示方法を実現させるためのプログラム及び当該プログラムが記憶されたコンピュータ読取可能な記憶媒体を提供することを目的とする。
【課題を解決するための手段】
【０００７】
本発明の一態様に係る生体信号波形表示装置は、
複数の生体信号波形を表す生体信号波形データを取得するように構成された取得部と、
前記取得された生体信号波形データに基づいて複数の生体信号波形を生成するように構成された生成部と、
前記生成された複数の生体信号波形を表示画面上に並んで表示させるように構成された表示制御部と、
を備える。
前記表示画面上に表示された複数の生体信号波形のうち第１生体信号波形が操作者によって選択されたとき、前記表示制御部は、前記第１生体信号波形を強調表示し、
その後、前記表示画面上に表示された複数の生体信号波形のうち第２生体信号波形が操作者によって選択されたとき、前記表示制御部は、前記第１生体信号波形と前記第２生体信号波形を強調表示する。
【発明の効果】
【０００８】
本発明によれば、表示画面上に並んで表示された複数の生体信号波形の数を減らさずに、操作者によって選択された当該生体信号波形の視認性を向上させることが可能な生体信号波形表示装置を提供することができる。
【図面の簡単な説明】
【０００９】
【図１】本発明の実施形態に係る心電図波形表示装置を示すハードウェア構成図である。
【図２】制御部の機能ブロックを示す図である。
【図３】本発明の実施形態に係る心電図波形表示方法を説明するためのフローチャートである。
【図４】複数の心電図波形が並んで表示された表示画面を示す図である。
【図５】心電図波形Ｖ２が強調表示された表示画面を示す図である。
【図６】心電図波形Ｖ２と心電図波形ａＶＲが強調表示された表示画面を示す図である。
【発明を実施するための形態】
【００１０】
以下、本発明の実施形態について図面を参照しながら説明する。尚、本実施形態の説明において既に説明された要素と同一の参照番号を有する要素については、説明の便宜上、その説明は省略する。
【００１１】
図１は、本発明の実施形態（以下、単に「本実施形態」という。）に係る心電図波形表示装置１（生体信号波形表示装置の一例）のハードウェア構成図を示す。図１に示すように、心電図波形表示装置１（以下、単に「表示装置１」という。）は、制御部２と、記憶部３と、ネットワークインターフェース４と、表示部５と、入力操作部６とを備える。これらはバス８を介して互いに通信可能に接続されている。
【００１２】
表示装置１は、心電図波形（生体信号波形の一例）を解析するための専用装置であってもよいし、例えば、パーソナルコンピュータ、スマートフォン、タブレット、Ａｐｐｌｅ  Ｗａｔｃｈ等のウェアラブルデバイス又は生体情報モニターであってもよい。
【００１３】
制御部２は、メモリとプロセッサを備えている。メモリは、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)であって、ＲＯＭに組み込まれた各種プログラムから指定されたプログラムをＲＡＭ上に展開し、ＲＡＭとの協働で各種処理を実行するように構成されている。
【００１４】
特に、プロセッサが後述する心電図波形表示プログラムをＲＡＭ上に展開し、ＲＡＭとの協働で当該プログラムを実行することで、制御部２は、表示装置１の各種動作を制御してもよい。制御部２及び心電図波形プログラムの詳細については後述する。
【００１５】
記憶部（ストレージ）３は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、フラッシュメモリ等の記憶装置であって、プログラムや各種データを格納するように構成されている。記憶部３には、心電図波形表示プログラム（生体信号波形表示プログラムの一例）が組み込まれてもよい。また、図示しない心電図センサによって取得された心電図波形データが記憶部３に保存されていてもよい。心電図センサは、患者の心臓から生成される微弱な電気信号を測定することで、心電図波形データを取得するように構成される。ここで、心電図波形データは、時間軸上で連続的に発生する心拍波形（ＱＲＳ波形等）を有する複数の心電図波形（１２誘導心電図波形等）を表す。
【００１６】
ネットワークインターフェース４は、表示装置１を図示しない通信ネットワークに接続するように構成されている。ここで、通信ネットワークは、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット等である。例えば、心電図波形表示プログラムや心電図波形データは、通信ネットワーク上に配置されたコンピュータからネットワークインターフェース４を介して取得されてもよい。
【００１７】
表示部５は、液晶ディスプレイ、有機ＥＬディスプレイ等のディスプレイ装置である。表示部５は、後述する表示画面５０を有する。制御部２によって生成された複数の心電図波形が表示部５の表示画面５０上に並んで表示される（図４等参照）。
【００１８】
入力操作部６は、表示装置１を操作する操作者の入力操作を受付けると共に、当該入力操作に対応する指示信号を出力するように構成されている。入力操作部６は、例えば、表示部５上に重ねて配置されたタッチパネル、筐体に取り付けられた操作ボタン、マウス又はキーボード等である。
【００１９】
図２は、表示装置１の制御部２の機能ブロックを示す。図２に示すように、制御部２は、取得部２１と、生成部２２と、表示制御部２３とを備える。取得部２１は、複数の心電図波形（生体信号波形の一例）を表す心電図波形データ（生体信号波形データの一例）を記憶部３から取得するように構成されている。生成部２２は、取得部２１によって取得された心電図波形データに基づいて複数の心電図波形及び複数の波形表示ラベルを生成するように構成されている。複数の波形表示ラベルの各々は、対応する心電図波形の一つに対応する。表示制御部２３は、生成部２２によって生成された複数の心電図波形を表示部５の表示画面５０上に並んで表示させるように構成されている（図４参照）。また、表示制御部２３は、複数の波形表示ラベル（図４の左側を参照）を表示画面５０上に表示させるように構成されている。さらに、表示制御部２３は、医療従事者等の操作者からの入力操作に従って、表示画面５０上に表示された心電図波形を強調表示するように構成されている。特に、表示制御部２３は、操作者が所定の波形表示ラベルを選択したときに、当該波形表示ラベルに対応する心電図波形を強調表示するように構成されている。
【００２０】
次に、図３〜図６を参照することで本実施形態に係る心電図波形表示方法（生体信号波形表示方法の一例）について説明する。図３は、心電図波形表示方法を説明するためのフローチャートを示す。図４は、複数の心電図波形が縦方向に並んで表示された表示画面５０を示す。図５は、心電図波形Ｖ２が強調表示された表示画面５０を示す。図６は、心電図波形Ｖ２と心電図波形ａＶＲが強調表示された表示画面５０を示す。
【００２１】
図４に示すように、表示画面５０には１２個の心電図波形（すなわち、第Ｉ誘導に対応する心電図波形Ｉ、第ＩＩ誘導に対応する心電図波形ＩＩ、第ＩＩＩ誘導に対応する心電図波形ＩＩＩ、ａＶＲ誘導に対応する心電図波形ａＶＲ、ａＶＬ誘導に対応する心電図波形ａＶＬ、ａＶＦ誘導に対応する心電図波形ａＶＦ、Ｖ１誘導〜Ｖ６誘導のそれぞれに対応する心電図波形Ｖ１〜Ｖ６）が表示されている。また、縦方向において隣接する心電図波形のＱＲＳ波形の急峻な部分が互いに重複しているため、各心電図波形の視認性が低下している。このため、操作者は、図４に示す各心電図波形を十分な精度で分析することが難しい。
【００２２】
図３に示すように、ステップＳ１０において、操作者は、入力操作部６を介して分析対象波形である心電図波形Ｖ２（第１生体信号波形）を選択する。具体的には、心電図波形Ｖ２に対応する波形表示ラベルＶ２（図５参照）が入力操作部６の操作によって指定されることで（例えば、波形表示ラベルＶ２がクリックされる等）、入力操作部６は、波形表示ラベルＶ２が指定されたことを示す指示信号を生成して、当該指示信号を表示制御部２３に送信する。その後、表示制御部２３は、受信した指示信号に従って、心電図波形Ｖ２が操作者によって選択されたと判断して、表示画面５０上に表示された心電図波形Ｖ２を強調表示する（ステップＳ１１）。この点において、表示制御部２３は、心電図波形Ｖ２を表示画面５０とは別の拡大表示ウィンドウに表示することなしに表示画面５０上に表示された心電図波形Ｖ２を強調表示する。具体的には、図５に示すように、表示制御部２３は、心電図波形Ｖ２以外の心電図波形の色を心電図波形Ｖ２の色よりも明度が高い色（薄い色）に変更することで、心電図波形Ｖ２を強調表示する。尚、選択された心電図波形を強調表示することとは、選択された心電図波形をその他の心電図波形に対して強調表示することを意味している。選択された心電図波形を強調表示するためには、選択された心電図波形の表示形態（表示色等）を変更するだけでなく、本実施形態のように、選択された心電図波形以外の心電図波形の表示形態（表示色等）を変更してもよい。
【００２３】
次に、心電図波形Ｖ２と心電図波形ａＶＲを比較及び分析するために、操作者は、入力操作部６を介して心電図波形ａＶＲ（第２生体信号波形）を選択する（ステップＳ１２）。具体的には、心電図波形ａＶＲに対応する波形表示ラベルａＶＲ（図６参照）が入力操作部６の操作によって指定されることで（例えば、カーソルが波形表示ラベルａＶＲの位置に移動させられる等）、入力操作部６は、波形表示ラベルａＶＲが指定されたことを示す指示信号を生成して、当該指示信号を表示制御部２３に送信する。その後、表示制御部２３は、受信した指示信号に従って、心電図波形ａＶＲが操作者によって選択されたと判断して、表示画面５０上に表示された心電図波形ａＶＲを強調表示する（ステップＳ１３）。このように、ステップＳ１１の後に心電図波形ａＶＲが操作者によって選択されたとき、表示制御部２３は、心電図波形Ｖ２と心電図波形ａＶＲを強調表示する。この点において、表示制御部２３は、心電図波形ａＶＲを表示画面５０とは別の拡大表示ウィンドウに表示することなしに、表示画面５０上に表示された心電図波形ａＶＲを強調表示する。具体的には、図６に示すように、表示制御部２３は、心電図波形ａＶＲの色を明度が高い色（図５に示す変更後の色）から明度が低い色（図４に示す変更前の色）に戻すことで、心電図波形ａＶＲを強調表示する。
【００２４】
さらに、操作者が入力操作部６を用いてカーソルを生体表示ラベルａＶＲの位置から生体表示ラベルＩＩＩの位置に移動させたとき、入力操作部６は、生体表示ラベルＩＩＩが指定されたことを示す指示信号を生成して、当該指示信号を表示制御部２３に送信する。その後、表示制御部２３は、受信した指示信号に従って、心電図波形ＩＩＩが操作者によって選択されたと判断して、心電図波形ａＶＲの色を明度が高い色（図５に示す変更後の色）に戻すと共に、心電図波形ＩＩＩを明度が低い色（図４に示す変更前の色）に戻すことで、心電図波形ＩＩＩを強調表示する。このように、表示制御部２３は、心電図波形Ｖ２と心電図波形ＩＩＩを強調表示する。このように、操作者は、心電図波形Ｖ２と心電図波形ＩＩＩを比較及び分析することが可能となる。
【００２５】
本実施形態によれば、操作者によって選択された心電図波形Ｖ２が強調表示されると共に、操作者によって選択された心電図波形ａＶＲが強調表示される。このように、表示画面５０上に並んで表示された複数の心電図波形の数を減らさずに（換言すれば、表示画面５０上に表示された全ての心電図波形が視認できる状態で）、操作者によって選択された心電図波形Ｖ２，ａＶＲの視認性を向上させることが可能な表示装置１を提供することができる。さらに、医療従事者等の操作者は、必要に応じて他の心電図波形を参照しつつ、心電図波形Ｖ２と心電図波形ａＶＲを比較及び分析することで、適切な診断を迅速に行うことが可能となる。
【００２６】
また、本実施形態によれば、複数の心電図波形が表示画面５０上に並んで表示されるので、隣接する心電図波形の一部（ＱＲＳ波等の急峻な部分）が互いに重なってしまい、各心電図波形の視認性が低下しやすい。このように、本実施形態によれば、複数の心電図波形を表示画面５０上に並べて表示する場合に特に有効である。
【００２７】
また、本実施形態によれば、心電図波形Ｖ２以外の心電図波形の色が心電図波形Ｖ２の色よりも明度が高い色に変更されると共に、心電図波形ａＶＲの色が変更前の色（図４に示す色）に戻されることで、操作者によって選択された心電図波形Ｖ２，ａＶＲの視認性を向上させることができる。
【００２８】
また、本実施形態によれば、心電図波形を直接指定せずに、対応する波形表示ラベルを指定することで心電図波形を選択することができる。このように、心電図波形を直接指定する場合と比較して、簡単に所望の心電図波形を選択することができるので、表示装置１の操作性を向上させることができる。
【００２９】
尚、本実施形態では、心電図波形Ｖ２を強調表示するために、心電図波形Ｖ２以外の心電図波形の色が心電図波形Ｖ２の色よりも明度が高い色に変更されているが、心電図波形Ｖ２以外の心電図波形の色を心電図波形Ｖ２の色とは異なる色に変更してもよい。特に、心電図波形Ｖ２以外の心電図波形の色相を心電図波形Ｖ２の色相とは異なる色相に変更してもよい。さらに、心電図波形Ｖ２以外の心電図波形の彩度を心電図波形Ｖ２の彩度とは異なる彩度に変更してもよい。この場合でも同様に、心電図波形Ｖ２を強調表示することができる。このように、心電図波形Ｖ２以外の心電図波形の色（色相、明度、彩度）が心電図波形Ｖ２の色（色相、明度、彩度）とは異なる色に変更されると共に、心電図波形ａＶＲの色が変更前の色に戻されることで、操作者によって選択された心電図波形Ｖ２，ａＶＲの視認性を向上させることができる。
【００３０】
また、表示制御部２３は、心電図波形Ｖ２以外の心電図波形の線幅を心電図波形Ｖ２の線幅よりも小さくすることで心電図波形Ｖ２を強調表示してもよい。さらに、表示制御部２３は、心電図波形Ｖ２以外の心電図波形を点線又は破線にすることで、心電図波形Ｖ２を強調表示してもよい。
【００３１】
また、表示制御部２３は、心電図波形Ｖ２の色（色相、明度、彩度）又は線幅を変更することで心電図波形Ｖ２を強調表示すると共に、心電図波形ａＶＲの色（色相、明度、彩度）又は線幅を変更することで心電図波形ａＶＲを強調表示してもよい。この場合でも同様に、表示画面５０上に表示された全ての心電図波形を視認できる状態で、操作者によって選択された心電図波形Ｖ２，ａＶＲの視認性を向上させることができる。
【００３２】
また、本実施形態に係る表示装置１をソフトウェアによって実現するためには、心電図波形表示プログラムが記憶部３又はＲＯＭに予め組み込まれていてもよい。または、心電図波形表示プログラムは、磁気ディスク（ＨＤＤ、フロッピーディスク）、光ディスク（ＣＤ−ＲＯＭ，ＤＶＤ−ＲＯＭ、Ｂｌｕ−ｒａｙディスク等）、光磁気ディスク（ＭＯ等）、フラッシュメモリ（ＳＤカード、ＵＳＢメモリ、ＳＳＤ等）等のコンピュータ読取可能な記憶媒体に格納されていてもよい。この場合、記憶媒体が表示装置１に接続されることで、当該記憶媒体に格納された心電図波形表示プログラムが、記憶部３に組み込まれる。そして、記憶部３に組み込まれた当該プログラムがＲＡＭ上にロードされて、プロセッサがロードされた当該プログラムを実行することで、制御部２は図２に示す各種処理を実行する。換言すれば、当該プログラムがプロセッサにより実行されることで、制御部２は、複数の心電図波形を表す心電図波形データを取得する機能と、取得された心電図波形データに基づいて複数の心電図波形を生成する機能と、生成された複数の心電図波形を表示画面５０上に並んで表示させる機能と、表示画面５０上に表示された複数の心電図波形のうち心電図波形Ｖ２が操作者によって選択されたとき、心電図波形Ｖ２を強調表示する機能と、表示画面５０上に表示された複数の心電図波形のうち心電図波形ａＶＲが操作者によって選択されたとき、心電図波形Ｖ２と心電図波形ａＶＲを強調表示する機能と、を実現する。
【００３３】
また、心電図波形表示プログラムは、通信ネットワーク上のコンピュータからネットワークインターフェース４を介してダウンロードされてもよい。この場合も同様に、ダウンロードされた当該プログラムが記憶部３に組み込まれる。
【００３４】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【００３５】
本実施形態では、１２個の心電図波形（１２誘導心電図）を表示画面５０上に並べて表示させる一例について説明したが、心電図波形の数は１２個に限定されず、様々な個数の心電図波形を表示画面５０上に並べて表示させてもよい。また、本実施形態では、選択された２つの心電図波形を強調表示する一例について説明しているが、表示制御部２３は、１つの心電図波形のみを強調表示させてもよいし、３つ以上の心電図波形を強調表示してもよい。例えば、３つの心電図波形Ｉ，ａＶＦ，Ｖ５が入力操作部６に対する操作を通じて選択されたとき、表示制御部２３は、３つの心電図波形Ｉ，ａＶＦ，Ｖ５を強調表示するように構成される。
【００３６】
また、本実施形態では、本発明の生体信号波形表示装置の一例として心電図波形を表示する表示装置１について説明したが、本発明の生体信号波形表示装置は心電図波形表示装置１には限定されない。例えば、本発明の生体信号波形表示装置は、脳波・脈波・心電・筋電・呼気等の生体信号波形を表示する生体情報モニターであってもよい。この場合でも同様に、選択された生体信号波形を強調表示することで、表示画面上に並んで表示された生体信号波形の数を減らさずに、選択された生体信号波形の視認性を向上させることが可能となる。
【００３７】
本実施形態の概要について以下にまとめる。
本実施形態に係る生体信号波形表示装置は、
複数の生体信号波形を表す生体信号波形データを取得するように構成された取得部と、
前記取得された生体信号波形データに基づいて複数の生体信号波形を生成するように構成された生成部と、
前記生成された複数の生体信号波形を表示画面上に並んで表示させるように構成された表示制御部と、
を備える。
前記表示画面上に表示された複数の生体信号波形のうち第１生体信号波形が操作者によって選択されたとき、前記表示制御部は、前記第１生体信号波形を強調表示し、
その後、前記表示画面上に表示された複数の生体信号波形のうち第２生体信号波形が操作者によって選択されたとき、前記表示制御部は、前記第１生体信号波形と前記第２生体信号波形を強調表示する。
【００３８】
上記構成によれば、操作者によって選択された第１生体信号波形が強調表示されると共に、操作者によって選択された第２生体信号波形が強調表示される。
このように、表示画面上に並んで表示された複数の生体信号波形の数を減らさずに、操作者によって選択された生体信号波形（第１生体信号波形、第２生体信号波形）の視認性を向上させることが可能な生体信号波形装置を提供することができる。さらに、医療従事者等の操作者は、必要に応じて他の生体信号波形を参照しつつ、第１生体信号波形と第２生体信号波形を比較及び分析することで、適切な診断を迅速に行うことが可能となる。
【００３９】
また、前記生体信号波形は、心電図波形であってもよい。
【００４０】
上記構成によれば、複数の心電図波形が表示画面上に並んで表示される場合、隣接する心電図波形の一部（特に、ＱＲＳ波等の急峻な部分）が重なることで、各心電図波形の視認性が低下しやすい。このように、本発明に係る生体信号波形装置は、複数の心電図波形を並べて表示する場合に特に有効である。
【００４１】
また、前記表示制御部は、
前記第１生体信号波形以外の生体信号波形の色を前記第１生体信号波形の色とは異なる色に変更することで、前記第１生体信号波形を強調表示し、
前記第２生体信号波形の色を変更前の色に戻すことで、前記第２生体信号波形を強調表示してもよい。
【００４２】
上記構成によれば、第１生体信号波形以外の生体信号波形の色が第１生体信号波形の色とは異なる色に変更されると共に、第２生体信号波形の色が変更前の色（元の色）に戻されることで、操作者によって選択された生体信号波形（第１生体信号波形、第２生体信号波形）の視認性を向上させることができる。
【００４３】
また、前記表示制御部は、前記第１生体信号波形以外の生体信号波形の色を前記第１生体信号波形の色よりも明度が高い色に変更することで、前記第１生体信号波形を強調表示してもよい。
【００４４】
上記構成によれば、前記第１生体信号波形以外の生体信号波形の色が前記第１生体信号波形の色よりも明度が高い色に変更されると共に、第２生体信号波形の色が変更前の色（元の色）に戻されることで、操作者によって選択された生体信号波形（第１生体信号波形、第２生体信号波形）の視認性を向上させることができる。
【００４５】
また、前記表示制御部は、
前記第１生体信号波形の色又は線幅を変更することで、前記第１生体信号波形を強調表示し、
前記第２生体信号波形の色又は線幅を変更することで、前記第２生体信号波形を強調表示してもよい。
【００４６】
上記構成によれば、前記第１生体信号波形の色又は線幅が変更されると共に、第２生体信号波形の色又は線幅が変更されることで、操作者によって選択された生体信号波形（第１生体信号波形、第２生体信号波形）の視認性を向上させることができる。
【００４７】
また、前記表示制御部は、各々が前記複数の生体信号波形の一つに対応する複数の波形表示ラベルを前記表示画面上に表示させるように構成されており、
前記第１生体信号波形に対応する第１波形表示ラベルが操作者によって指定されることで、前記第１生体信号波形が選択され、
前記第２生体信号波形に対応する第２波形表示ラベルが操作者によって指定されることで、前記第２生体信号波形が選択されてもよい。
【００４８】
上記構成によれば、生体信号波形を直接指定せずに、対応する波形表示ラベルを指定することで生体信号波形を選択することができる。このように、生体信号波形を直接指定する場合と比較して、簡単に所望の生体信号波形を選択することができるので、生体信号波形装置の操作性を向上させることができる。
【００４９】
また、本実施形態に係る生体信号波形表示方法は、
（ａ）複数の生体信号波形を表す生体信号波形データを取得する工程と、
（ｂ）前記取得された生体信号波形データに基づいて複数の生体信号波形を生成する工程と、
（ｃ）前記生成された複数の生体信号波形を表示画面上に並んで表示させる工程と、
（ｄ）前記表示画面上に表示された複数の生体信号波形のうち第１生体信号波形が操作者によって選択されたとき、前記第１生体信号波形を強調表示する工程と、
（ｅ）工程（ｄ）の後に、前記表示画面上に表示された複数の生体信号波形のうち第２生体信号波形が操作者によって選択されたとき、前記第１生体信号波形と前記第２生体信号波形を強調表示する工程と、を含む。
【００５０】
上記方法によれば、操作者によって選択された第１生体信号波形が強調表示されると共に、操作者によって選択された第２生体信号波形が強調表示される。
このように、表示画面上に並んで表示された複数の生体信号波形の数を減らさずに、操作者によって選択された生体信号波形（第１生体信号波形、第２生体信号波形）の視認性を向上させることが可能な生体信号波形方法を提供することができる。さらに、医療従事者等の操作者は、必要に応じて他の生体信号波形を参照しつつ、第１生体信号波形と第２生体信号波形を比較及び分析することで、適切な診断を迅速に行うことが可能となる。
【００５１】
また、前記生体信号波形は、心電図波形であってもよい。
【００５２】
上記方法によれば、複数の心電図波形が表示画面上に並んで表示される場合、隣接する心電図波形の一部（特に、ＱＲＳ波等の急峻な部分）が重なることで、各心電図波形の視認性が低下しやすい。このように、本発明に係る生体信号波形方法は、複数の心電図波形を並べて表示する場合に特に有効である。
【００５３】
また、前記工程（ｄ）では、前記第１生体信号波形以外の生体信号波形の色を前記第１生体信号波形の色とは異なる色に変更することで、前記第１生体信号波形を強調表示し、
前記工程（ｅ）では、前記第２生体信号波形の色を変更前の色に戻すことで、前記第２生体信号波形を強調表示してもよい。
【００５４】
上記方法によれば、第１生体信号波形以外の生体信号波形の色が第１生体信号波形の色とは異なる色に変更されると共に、第２生体信号波形の色が変更前の色（元の色）に戻されることで、操作者によって選択された生体信号波形（第１生体信号波形、第２生体信号波形）の視認性を向上させることができる。
【００５５】
また、前記工程（ｄ）では、前記第１生体信号波形以外の生体信号波形の色を前記第１生体信号波形の色よりも明度が高い色に変更することで、前記第１生体信号波形を強調表示してもよい。
【００５６】
上記方法によれば、前記第１生体信号波形以外の生体信号波形の色が前記第１生体信号波形の色よりも明度が高い色に変更されると共に、第２生体信号波形の色が変更前の色（元の色）に戻されることで、操作者によって選択された生体信号波形（第１生体信号波形、第２生体信号波形）の視認性を向上させることができる。
【００５７】
また、前記工程（ｄ）では、前記第１生体信号波形の色又は線幅を変更することで、前記第１生体信号波形を強調表示し、
前記工程（ｅ）では、前記第２生体信号波形の色又は線幅を変更することで、前記第２生体信号波形を強調表示してもよい。
【００５８】
上記方法によれば、前記第１生体信号波形の色又は線幅が変更されると共に、第２生体信号波形の色又は線幅が変更されることで、操作者によって選択された生体信号波形（第１生体信号波形、第２生体信号波形）の視認性を向上させることができる。
【００５９】
また、前記工程（ｃ）では、各々が前記複数の生体信号波形の一つに対応する複数の波形表示ラベルを前記表示画面上に表示させ、
前記工程（ｄ）では、前記第１生体信号波形に対応する第１波形表示ラベルが操作者によって指定されることで、前記第１生体信号波形が選択され、
前記工程（ｅ）では、前記第２生体信号波形に対応する第２波形表示ラベルが操作者によって指定されることで、前記第２生体信号波形が選択されてもよい。
【００６０】
上記方法によれば、生体信号波形を直接指定せずに、対応する波形表示ラベルを指定することで生体信号波形を選択することができる。このように、生体信号波形を直接指定する場合と比較して、簡単に所望の生体信号波形を選択することができるので、生体信号波形装置の操作性を向上させることができる。
【００６１】
また、本実施形態に係るプログラムは、
複数の生体信号波形を表す生体信号波形データを取得する機能と、
前記取得された生体信号波形データに基づいて複数の生体信号波形を生成する機能と、
前記生成された複数の生体信号波形を表示画面上に並んで表示させる機能と、
前記表示画面上に表示された複数の生体信号波形のうち第１生体信号波形が操作者によって選択されたとき、前記第１生体信号波形を強調表示する機能と、
前記表示画面上に表示された複数の生体信号波形のうち第２生体信号波形が操作者によって選択されたとき、前記第１生体信号波形と前記第２生体信号波形を強調表示する機能と、
をコンピュータに実現させる。
【００６２】
上記構成によれば、操作者によって選択された第１生体信号波形が強調表示されると共に、操作者によって選択された第２生体信号波形が強調表示される。
このように、表示画面上に並んで表示された複数の生体信号波形の数を減らさずに、操作者によって選択された生体信号波形（第１生体信号波形、第２生体信号波形）の視認性を向上させることが可能な生体信号波形方法を提供することができる。さらに、医療従事者等の操作者は、必要に応じて他の生体信号波形を参照しつつ、第１生体信号波形と第２生体信号波形を比較及び分析することで、適切な診断を迅速に行うことが可能となる。
【００６３】
また、上記プログラムが記憶されたコンピュータ読取可能な記憶媒体が提供されてもよい。
【符号の説明】
【００６４】
１：心電図波形表示装置（表示装置）
２：制御部
３：記憶部
４：ネットワークインターフェース
５：表示部
６：入力操作部
８：バス
２１：取得部
２２：生成部
２３：表示制御部
５０：表示画面
【図１】
0006671918.tif 000002
【図２】
0006671918.tif 000003
【図３】
0006671918.tif 000004
【図４】
0006671918.tif 000005
【図５】
0006671918.tif 000006
【図６】
0006671918.tif 000007